(57)【特許請求の範囲】
【請求項１】
加入者側通信装置と局側通信装置との間のＬＡＮデータの転送に使用するフレームを処理するフレーム処理部、局側通信装置へ送信する上り方向のＬＡＮデータを一時記憶する上りバッファメモリ、下り方向のＬＡＮデータを一時記憶する下りバッファメモリ、フレームからＬＡＮデータを取り出しＬＡＮデータをコンピュータとの通信に使用されるパケットに変換するパケット処理部を有するＬＡＮインタフェースを備えたｎ個（ｎは２以上の整数）の加入者側通信装置が、
フレームを処理するフレーム処理部、上り方向のＬＡＮデータを一時記憶する局側上りバッファメモリ、下り方向のＬＡＮデータを一時記憶する局側下りバッファメモリ、上りＬＡＮデータを宛先に応じてメモリに転送する上りデータ振り分け部、下りデータを宛先に応じてメモリに転送する下りデータ振り分け部、ＬＡＮデータをルータとの通信に使用されるパケットに変換するパケット処理部を有するルータインタフェースを備えた１つの局側通信装置に、
複数対１に対向して接続され、
局側通信装置が、加入者側通信装置から送信されたデータを一時記憶する複数のメモリあるいは複数の領域に分割されたメモリを有し、加入者側通信装置から送信されたデータは前記メモリあるいはメモリ領域のうちあらかじめ設定されたメモリあるいはメモリ領域に一時記憶される光通信システムを用いた通信方法であって、
局側通信装置内の各メモリあるいは各メモリ領域の空き容量を監視し、前記空き容量があらかじめ設定された値より小さくなった場合に、局側通信装置が該当メモリあるいは該当メモリ領域に対応する加入者側通信装置に対して輻輳通知を行い、また、前記空き容量が、前記設定値と同じあるいはそれ以上の値の、あらかじめ設定された値以上になった場合、あるいは輻輳通知をおこなってから一定時間が経過した後に、局側通信装置が該当メモリあるいは該当メモリ領域に対応する加入者側通信装置に対して輻輳解除通知を行い、前記輻輳通知を通知された加入者側通信装置は、前記輻輳解除通知を通知されるまでの間、局側通信装置にデータを送信しないことを特徴とする通信方法。
【請求項２】
加入者側通信装置と局側通信装置との間のＬＡＮデータの転送に使用するフレームを処理するフレーム処理部、局側通信装置へ送信する上り方向のＬＡＮデータを一時記憶する上りバッファメモリ、下り方向のＬＡＮデータを一時記憶する下りバッファメモリ、フレームからＬＡＮデータを取り出しＬＡＮデータをコンピュータとの通信に使用されるパケットに変換するパケット処理部を有するＬＡＮインタフェースを備えたｎ個（ｎは２以上の整数）の加入者側通信装置が、
フレームを処理するフレーム処理部、上り方向のＬＡＮデータを一時記憶する局側上りバッファメモリ、下り方向のＬＡＮデータを一時記憶する局側下りバッファメモリ、上りＬＡＮデータを宛先に応じてメモリに転送する上りデータ振り分け部、下りデータを宛先に応じてメモリに転送する下りデータ振り分け部、ＬＡＮデータをルータとの通信に使用されるパケットに変換するパケット処理部を有するルータインタフェースを備えた１つの局側通信装置に、
複数対１に対向して接続され、
局側通信装置が、加入者側通信装置から送信されたデータを一時記憶する複数のメモリあるいは複数の領域に分割されたメモリを有し、加入者側通信装置から送信されたデータは前記メモリあるいはメモリ領域のうちあらかじめ設定されたメモリあるいはメモリ領域に一時記憶される光通信システムを用いた通信方法であって、
局側通信装置内の各メモリあるいは各メモリ領域の空き容量を監視し、前記空き容量があらかじめ設定された値より小さくなった場合に、局側通信装置が該当メモリあるいは該当メモリ領域に対応する加入者側通信装置に対して輻輳通知を行い、前記輻輳通知を通知された加入者側通信装置は、あらかじめ設定された一定時間の間、局側通信装置にデータを送信しないことを特徴とする通信方法。
【請求項３】
加入者側通信装置と局側通信装置との間のＬＡＮデータの転送に使用するフレームを処理するフレーム処理部、局側通信装置へ送信する上り方向のＬＡＮデータを一時記憶する上りバッファメモリ、下り方向のＬＡＮデータを一時記憶する下りバッファメモリ、フレームからＬＡＮデータを取り出しＬＡＮデータをコンピュータとの通信に使用されるパケットに変換するパケット処理部を有するＬＡＮインタフェースを備えたｎ個（ｎは２以上の整数）の加入者側通信装置が、
フレームを処理するフレーム処理部、上り方向のＬＡＮデータを一時記憶する局側上りバッファメモリ、下り方向のＬＡＮデータを一時記憶する局側下りバッファメモリ、上りＬＡＮデータを宛先に応じてメモリに転送する上りデータ振り分け部、下りデータを宛先に応じてメモリに転送する下りデータ振り分け部、ＬＡＮデータをルータとの通信に使用されるパケットに変換するパケット処理部を有するルータインタフェースを備えた１つの局側通信装置に、
複数対１に対向して接続され、
局側通信装置が、加入者側通信装置から送信されたデータを一時記憶する複数のメモリあるいは複数の領域に分割されたメモリを有し、加入者側通信装置から送信されたデータは前記メモリあるいはメモリ領域のうちあらかじめ設定されたメモリあるいはメモリ領域に一時記憶される光通信システムを用いた通信方法であって、
局側通信装置の各メモリあるいは各メモリ領域の空き容量を監視し、前記空き容量があらかじめ設定された値より小さくなった場合に、局側通信装置が、該当メモリあるいは該当メモリ領域に対応する加入者側通信装置から送信された送信要求に対して、送信許可を該当メモリあるいは該当メモリ領域に対応する加入者側通信装置に送信を行うことをやめ、また、前記空き容量が、前記設定値と同じあるいはそれ以上の値のあらかじめ設定された値以上になった場合、あるいは輻輳通知をおこなってから一定時間が経過した後に、局側通信装置が、該当メモリあるいは該当メモリ領域に対応する加入者側通信装置から送信された送信要求に対して、送信許可を該当メモリあるいは該当メモリ領域に対応する加入者側通信装置に送信することを開始することを特徴とする通信方法。
【請求項４】
請求項１から３のいずれか１に記載の通信方法であって、メモリの空き容量の設定値が、少なくとも１バースト周期で受信する最大のデータ長以上の値であることを特徴とする通信方法。
【請求項５】
加入者側通信装置と局側通信装置との間のＬＡＮデータの転送に使用するフレームを処理するフレーム処理部、局側通信装置へ送信する上り方向のＬＡＮデータを一時記憶する上りバッファメモリ、下り方向のＬＡＮデータを一時記憶する下りバッファメモリ、フレームからＬＡＮデータを取り出しＬＡＮデータをコンピュータとの通信に使用されるパケットに変換するパケット処理部を有するＬＡＮインタフェースを備えたｎ個（ｎは２以上の整数）の加入者側通信装置が、
フレームを処理するフレーム処理部、上り方向のＬＡＮデータを一時記憶する局側上りバッファメモリ、下り方向のＬＡＮデータを一時記憶する局側下りバッファメモリ、上りＬＡＮデータを宛先に応じてメモリに転送する上りデータ振り分け部、下りデータを宛先に応じてメモリに転送する下りデータ振り分け部、ＬＡＮデータをルータとの通信に使用されるパケットに変換するパケット処理部を有するルータインタフェースを備えた１つの局側通信装置に、
複数対１に対向して接続された光通信システムにおける局側通信装置であって、
加入者側通信装置から送信されたデータを一時記憶するメモリが、複数のメモリあるいは複数の領域に分割されたメモリであって、加入者側通信装置から送信されたデータは前記メモリあるいはメモリ領域のうちあらかじめ設定されたメモリに一時記憶され、
各メモリあるいは各メモリ領域の空き容量を監視し、前記空き容量があらかじめ設定された値より小さくなった場合に、該当メモリあるいは該当メモリ領域に対応する加入者側通信装置に対して輻輳通知を行う構成であることを特徴とする局側通信装置。
【請求項６】
請求項５記載の局側通信装置であって、前記各メモリあるいは各メモリ領域の空き容量を監視し、前記空き容量があらかじめ設定された値より小さくなった場合に、該当メモリあるいは該当メモリ領域に対応する加入者側通信装置に対して輻輳通知を行い、また、前記空き容量が、前記設定値と同じあるいはそれ以上の値のあらかじめ設定された値以上になった場合、あるいは輻輳通知をおこなってから一定時間が経過した後に、該当メモリあるいは該当メモリ領域に対応する加入者側通信装置に対して輻輳解除通知を行う構成であることを特徴とする局側通信装置。
【請求項７】
加入者側通信装置と局側通信装置との間のＬＡＮデータの転送に使用するフレームを処理するフレーム処理部、局側通信装置へ送信する上り方向のＬＡＮデータを一時記憶する上りバッファメモリ、下り方向のＬＡＮデータを一時記憶する下りバッファメモリ、フレームからＬＡＮデータを取り出しＬＡＮデータをコンピュータとの通信に使用されるパケットに変換するパケット処理部を有するＬＡＮインタフェースを備えたｎ個（ｎは２以上の整数）の加入者側通信装置が、
フレームを処理するフレーム処理部、上り方向のＬＡＮデータを一時記憶する局側上りバッファメモリ、下り方向のＬＡＮデータを一時記憶する局側下りバッファメモリ、上りＬＡＮデータを宛先に応じてメモリに転送する上りデータ振り分け部、下りデータを宛先に応じてメモリに転送する下りデータ振り分け部、ＬＡＮデータをルータとの通信に使用されるパケットに変換するパケット処理部を有するルータインタフェースを備えた１つの局側通信装置に、
複数対１に対向して接続された光通信システムにおける通信方法であって、
加入者側通信装置から送信されたデータを一時記憶するメモリが、複数のメモリあるいは複数の領域に分割されたメモリであって、加入者側通信装置から送信されたデータは前記メモリあるいはメモリ領域のうちあらかじめ設定されたメモリに一時記憶され、
各メモリあるいは各メモリ領域の空き容量を監視し、前記空き容量があらかじめ設定された値より小さくなった場合に、該当メモリあるいは該当メモリ領域に対応する加入者側通信装置から送信された送信要求に対して、送信許可を該当メモリあるいは該当メモリ領域に対応する加入者側通信装置に送信することをやめ、また、前記空き容量が、前記設定値と同じあるいはそれ以上の値のあらかじめ設定された値以上になった場合、あるいは輻輳通知をおこなってから一定時間が経過した後に、該当メモリあるいは該当メモリ領域に対応する加入者側通信装置から送信された送信要求に対して、送信許可を該当メモリあるいは該当メモリ領域に対応する加入者側通信装置に送信することを開始する構成を有することを特徴とする局側通信装置。
【請求項８】
局側通信装置が、請求項１から３のいずれか１に記載の通信方法で用いる局側通信装置である光通信システムにおける加入者側通信装置であって、局側通信装置から送信された輻輳通知および輻輳解除通知を受信し、前記輻輳通知を受信してから、前記輻輳解除通知を通知されるまでの間、局側通信装置にデータを送信しない構成を有することを特徴とする加入者側通信装置。
【請求項９】
局側通信装置が、請求項１から３のいずれか１に記載の通信方法で用いる局側通信装置である光通信システムにおける加入者側通信装置であって、局側通信装置から送信された輻輳通知を受信し、前記輻輳通知を受信してから、あらかじめ設定された一定時間の間、局側通信装置にデータを送信しない構成を有することを特徴とする加入者側通信装置。
【請求項１０】
加入者側通信装置が、請求項９記載の加入者側通信装置であって、加入者側通信装置内のメモリの空き容量を監視し、前記空き容量があらかじめ設定された値より小さい場合に、加入者側通信装置が局側通信装置に対して輻輳通知を行う構成を有することを特徴とする加入者側通信装置。
【請求項１１】
加入者側通信装置と局側通信装置との間のＬＡＮデータの転送に使用するフレームを処理するフレーム処理部、局側通信装置へ送信する上り方向のＬＡＮデータを一時記憶する上りバッファメモリ、下り方向のＬＡＮデータを一時記憶する下りバッファメモリ、フレームからＬＡＮデータを取り出しＬＡＮデータをコンピュータとの通信に使用されるパケットに変換するパケット処理部を有するＬＡＮインタフェースを備えたｎ個（ｎは２以上の整数）の加入者側通信装置が、
フレームを処理するフレーム処理部、上り方向のＬＡＮデータを一時記憶する局側上りバッファメモリ、下り方向のＬＡＮデータを一時記憶する局側下りバッファメモリ、上りＬＡＮデータを宛先に応じてメモリに転送する上りデータ振り分け部、下りデータを宛先に応じてメモリに転送する下りデータ振り分け部、ＬＡＮデータをルータとの通信に使用されるパケットに変換するパケット処理部を有するルータインタフェースを備えた１つの局側通信装置に、
複数対１に対向して接続された光通信システムを用いた通信方法であって、
情報を送受信する情報チャネルに、回線交換をおこなう回線チャネルとＬＡＮ接続を行うＬＡＮチャネルが多重化されており、回線チャネルで送受信されるデータに対しては請求項１から７に記載の通信方法のいずれをも用いず、ＬＡＮチャネルで送受信するＬＡＮデータに対しては請求項１から４のいずれか１に記載の通信方法を用いることを特徴とする通信方法。
【発明の詳細な説明】
【０００１】
【発明の属する技術分野】
本発明は、輻輳処理を行う通信方法および通信装置に関し、特に１つの局側通信装置と複数の加入者側通信装置が、受動分岐結合した光伝送路により対向して接続された光通信システムにおける通信方法および通信装置に関するものである。
【０００２】
【従来の技術】
従来の通信システムで用いている通信装置および通信方法について、光ファイバを用いた光通信システムを例にとり説明を行う。
【０００３】
図２３に従来の通信システムの構成を、図２４に従来の加入者側通信装置を、図２５に従来の局側通信装置を示す。この従来の通信システムでは、ｎ個（ｎは２以上の整数）の加入者側通信装置１０１が１つの局側通信装置２０１に、スターカプラによって受動分岐結合する光ファイバによる伝送路によって複数対１に対向して接続されている。各加入者側通信装置１０１は電話５０およびコンピュータ（ＰＣ）５１に接続されている。電話あるいはコンピュータの一方だけが接続されることもある。前記局側通信装置２０１は光ファイバからの信号チャネルの終端および光終端を行うｍ台（ｍは２以上の整数）の局側終端装置２０２およびクロスコネクト２０５および、電話回線の情報信号を交換機５３に転送する局側回線インタフェース２０３および、コンピュータからのＬＡＮデータをルータ５４に転送するルータインタフェース２０４で構成される。
【０００４】
加入者側通信装置１０１は、光ファイバの光終端と信号の終端を行う加入者側終端装置１０２および、中継通話路との回線接続を行う電話５０と接続するための回線インタフェース１０３および、コンピュータ５１とＬＡＮ接続をおこなうためのＬＡＮインタフェース１０４を要する。ＬＡＮインタフェース１０４は局側通信装置との間で送受信を行うＬＡＮデータのフレームを処理するフレーム処理部１０５および、局側通信装置へ送信する上り方向のＬＡＮデータを一時記憶する上りバッファメモリ１０６および、局側通信装置から受信した下り方向のＬＡＮデータを一時記憶する下りバッファメモリ１０７および、ＬＡＮデータを加入者側通信装置１０１に接続されたコンピュータ５１との通信に使用されるプロトコルに変換するパケット処理部１０８を有する。
【０００５】
また、局側通信装置２０１は、光ファイバの光終端と信号の終端を行う局側終端装置２０２および、中継通話路との回線接続を行う電話５０と接続するための局側回線インタフェース２０３および、ルータとＬＡＮ接続をおこなうためのルータインタフェース２０４および、クロスコネクト２０５を有する。ルータインタフェース２０４は加入者側通信装置との間で送受信を行うＬＡＮデータのフレームを処理するフレーム処理部２０６および、加入者側通信装置から受信した上り方向のＬＡＮデータを一時記憶する局側上りバッファメモリ２０７および、加入者側通信装置へ送信する下り方向のＬＡＮデータを一時記憶する局側下りバッファメモリ２０８および、上りＬＡＮデータを宛先に応じて局側上りバッファメモリ２０７あるいは局側下りバッファメモリ２０８に転送する上りデータ振り分け部２０９および、下りデータを宛先に応じて局側下りバッファメモリ２０８に転送する下りデータ振り分け部２１０および、ＬＡＮデータを局側通信装置２０１に接続されたルータとの通信に使用されるプロトコルに変換するパケット処理部２１１を有する。
【０００６】
ここでは、コンピュータの通信の場合についてＬＡＮデータの流れの説明を行う。加入者側通信装置１０１に接続されたコンピュータ５１から送信されたＬＡＮデータは、加入者側通信装置１０１で情報チャネル内に多重化され、光ファイバで構成された伝送路を通り、局側終端装置２０２に入る。局側終端装置２０２ではＬＡＮデータを、クロスコネクト２０５によって、ルータインタフェース２０４に転送する。ルータインタフェース２０４はあらかじめ行われている設定に基づき、ＬＡＮデータをルータ５４に振り分ける。逆に外部ネットワークからルータ５４を通して局側通信装置２０１に入力されたＬＡＮデータは、前記のルートと逆のルートを通り、加入者側通信装置１０１に接続されたコンピュータ５１に転送される。
【０００７】
【発明が解決しようとする課題】
ここで、従来の技術で説明した従来の通信システムにおいては、コンピュータと加入者側通信装置間、加入者側通信装置と局側通信装置間、局側通信装置とルータ間の伝送容量の違い、および、局側通信装置と加入者側通信装置が１対複数で対向して接続しているために、輻輳が発生する可能性がある。従来の通信システムにおいては、輻輳が発生した場合に輻輳に関する処理を行わないために、前記通信システムに接続されたコンピュータあるいはルータは輻輳が生じた場合においてもパケットを前記通信システムに送信するために、パケットが消失してしまうといった問題があった。
【０００８】
輻輳の発生について例を挙げて説明する。例えば、コンピュータと加入者側通信装置間および局側通信装置とルータ間がイーサネットの１０ＢＡＳＥ−Ｔであり、加入者側通信装置と局側通信装置の帯域が加入者側通信装置で共用された１０Ｍｂ／ｓの帯域であるとする。この場合には、次に述べる輻輳が発生し問題となる。
【０００９】
まず、従来技術の第１の問題は、加入者側通信装置から局側通信装置に向かう上り方向のデータの帯域が１０×ｍＭｂ／ｓあり、局側通信装置からルータ側に出力するデータの帯域がルータ１台あたり１０Ｍｂ／ｓであるために、１つのルータに上りデータが集中した場合には、局側通信装置にデータが蓄積される一方になる状態である輻輳状態が発生し、この輻輳にともなって局側通信装置内のメモリのオーバフローによりデータの消失が発生するという問題である。
【００１０】
次に、従来技術の第２の問題は、局側通信装置から加入者側通信装置に向かう下り方向のデータにおいて、１台の加入者側通信装置に向かうデータが１０Ｍｂ／ｓの帯域を全て使用している状況において、加入者側通信装置に集線装置を介して複数のコンピュータが接続され、前記コンピュータ同士の通信が行われているために、加入者側通信装置とコンピュータ間の帯域が１０Ｍｂ／ｓ全域を使用できない場合には、加入者側通信装置にデータが蓄積される一方になる状態である輻輳状態が発生し、この輻輳にともなって加入者側通信装置内のメモリのオーバフローによりデータの消失が発生するという問題である。
【００１１】
本発明は上記の事情に鑑みてなされたもので、加入者側通信装置内あるいは局側通信装置内のメモリのオーバフローによりデータが消失することなく通話を行うことが可能となり、また電話回線に影響を及ぼさずに、ＬＡＮデータが消失することなく通信を行うことが可能となる輻輳処理を行う通信方法および通信装置を提供することを目的とする。
【００１２】
【課題を解決するための手段】
前記従来技術の第１の問題を解決するために、伝送路を通して局側通信装置に送られたデータが局側通信装置内のメモリにある量以上蓄積された場合において、局側通信装置が加入者側通信装置に輻輳通知を行い、加入者側通信装置は輻輳解除通知を局側通信装置から受信するまで、あるいはあらかじめ設定された一定時間の間は、パケット送信要求を行わないという通信方法およびこれを実現する通信装置を用いる。このような通信方法および通信装置を用いることによって、局側通信装置内のメモリのオーバフローによりデータの消失が発生することがなくなる。
【００１３】
さらに、前記従来技術の第２の問題を解決するために、伝送路を通して加入者側通信装置に送られたデータが加入者側通信装置内のメモリにある量以上蓄積された場合において、加入者側通信装置が局側通信装置に輻輳通知を行い、局側通信装置は該当加入者側通信装置から輻輳解除通知を受信するまで、あるいはあらかじめ設定された一定時間の間は、該当加入者側通信装置にはパケット送信を行わないという通信方法およびこれを実現する通信装置を用いる。このような通信方法および通信装置を用いることによって、加入者側通信装置内のメモリのオーバフローによりデータの消失が発生することがなくなる。
【００１４】
このような通信方法および通信装置を用いることで、輻輳が発生した場合においてもデータの消失が発生することなく通信を行うことができる。
【００１５】
【発明の実施の形態】
以下図面を参照して本発明の実施の形態例を詳細に説明する。
【００１６】
以下に本発明の実施の形態について例を用いて説明を行う。以下に説明を行う実施例においては、１つの局側通信装置と複数の加入者側通信装置とを１対複数で受動分岐結合する伝送路を有する光通信システムの例として、光ファイバを用いた光通信システムを例にとり説明を行うが、本発明は、これに限るものではない。
【００１７】
［実施形態例１］
実施形態例１では、局側通信装置が加入者側通信装置に輻輳通知を行い、加入者側通信装置は輻輳解除通知を局側通信装置から受信するまで、パケット送信要求を行わないという、本発明の実施の形態の通信方法および通信装置について説明を行う。
【００１８】
図１及び図２に本発明の通信方法における上りフレームのフローおよび輻輳通知フローを示す。
【００１９】
まず、加入者側通信装置のフローについて説明する。加入者側通信装置は、送信するフレームがある場合には、送信要求を局側通信装置に送信する。ただし、すでに輻輳通知をされている場合には送信要求を送信せず、局側通信装置から送信された輻輳解除通知を受信するまで、フレームの送信はしない。加入者側通信装置は輻輳解除通知を受信すると、局側通信装置のフレーム受信が可能になったものとして、送信するフレームがある場合には、送信要求を局側通信装置に送信する。この送信要求に応じて局側通信装置は、加入者側通信装置に送信許可を送信する。送信許可を受け取った加入者側通信装置はフレームを局側通信装置に送信する。
【００２０】
次に、局側通信装置の通信方法における上りフレームについて説明する。加入者側通信装置から送信された送信要求を局側通信装置が受信すると、その送信要求に基づいて送信許可を与える加入者側通信装置を選択し、選択した加入者側通信装置に対して送信許可を送信する。送信許可に基づいて加入者側通信装置はフレームを送信し、局側通信装置はこのフレームを受信する。局側通信装置は、データを出力するルータ側出力ポートを設定に基づいて選択し、局側通信装置によって受信されたフレームは、いったん局側通信装置のバッファメモリに記憶された後に、パケット処理を行って出力される。このバッファメモリはルータ側出力ポートに対応している。バッファメモリに記憶された際に、バッファメモリの空き容量があらかじめ設定された第１の規定値よりも小さくなった場合には、これ以上のフレームを受信することができないとして、局側通信装置はすべての加入者側通信装置に対して輻輳通知を送信する。輻輳通知を受けた加入者側通信装置は、前記のフローに従ってさらなるフレームの送信を行わない。このため、局側通信装置においてパケット処理を行いデータを出力することにより、バッファメモリに記憶されたデータのデータ量は減少する。パケットを出力することによりバッファメモリの空き容量が増え、あらかじめ設定された第２の規定値よりも大きくなった場合には、さらにフレームを受信することが可能になったとして、局側通信装置はすべての加入者側通信装置に対して輻輳解除通知を送信する。あるいは、輻輳通知を通知してからあらかじめ設定された一定時間（規定時間）経過後に、さらにフレームを受信することが可能になったとして、局側通信装置はすべての加入者側通信装置に対して輻輳解除通知を送信する。第２の規定値は、第１の規定値以下に設定する。輻輳解除通知を受信した加入者側通信装置は、前記のフローに従ってフレームの送信を行う。
【００２１】
以下に述べる実施形態例についても同様であるが、一度に複数の加入者側通信装置から送信要求を受けることがある。上記フローはそのそれぞれの送信要求についての個別のデータのフローを示したものであり、複数の送信要求がある場合には、それぞれに対して同時に前記フローが実行される。また、バッファメモリの空き容量をチェックするタイミングは、局側通信装置のフレームを受信するタイミングに同期しているが、このタイミングは必ずしもフレームを受信するタイミングと一致している必要はない。バッファメモリの空き容量をチェックするタイミングはフレーム受信の間隔よりも狭くとり、フレームの受信とは無関係に輻輳通知、輻輳解除通知を行ってもよい。
【００２２】
つぎに、この通信方法を実現する、加入者側通信装置および局側通信装置について説明を行う。図３に本発明の加入者側通信装置を、図４に本発明の局側通信装置を示す。
【００２３】
加入者側通信装置１０１は、光ファイバの光終端と信号の終端を行う加入者側終端装置１０２および、中継通話路との回線接続を行う電話５０と接続するための回線インタフェース１０３および、コンピュータ（ＰＣ）５１とＬＡＮ接続をおこなうためのＬＡＮインタフェース１０４を有する。ＬＡＮインタフェース１０４は局側通信装置との間で送受信を行うＬＡＮデータのフレームを処理するフレーム処理部１０５および、局側通信装置へ送信する上り方向のＬＡＮデータを一時記憶する上りバッファメモリ１０６および、局側通信装置から受信した下り方向のＬＡＮデータを一時記憶する下りバッファメモリ１０７および、ＬＡＮデータを加入者側通信装置１０１に接続されたコンピュータ５０との通信に使用されるプロトコルに変換するパケット処理部１０８を有する。さらに、ＬＡＮインタフェース１０４は、局側通信装置から受信した輻輳通知および輻輳解除通知を受け、輻輳通知を受信してから輻輳解除通知を受信するまでの間、上りバッファメモリ１０６からフレーム処理部がＬＡＮデータを取り出さないように制御する、輻輳状態監視部１を有する。
【００２４】
また、局側通信装置２０１は、光ファイバの光終端と信号の終端を行う局側終端装置２０２および、中継通話路との回線接続を行う電話５０と接続する局側回線インタフェース２０３および、ルータとＬＡＮ接続をおこなうためのルータインターフェース２０４および、クロスコネクト２０５を有する。ルータインタフェース２０４は加入者側通信装置との間で送受信を行うＬＡＮデータのフレームを処理するフレーム処理部２０６および、加入者側通信装置から受信した上り方向のＬＡＮデータを一時記憶する局側上りバッファメモリ２０７および、加入者側通信装置へ送信する下り方向のＬＡＮデータを一時記憶する局側下りバッファメモリ２０８および、上りＬＡＮデータを宛先に応じて局側上りバッファメモリ２０７あるいは局側下りバッファメモリ２０８に転送する上りデータ振り分け部２０９および、下りデータを宛先に応じて局側下りバッファメモリ２０８に転送する下りデータ振り分け部２１０および、ＬＡＮデータを局側通信装置２０１に接続されたルータとの通信に使用されるプロトコルに変換するパケット処理部２１１を有する。さらに、ルータインタフェース２０４は、上りバッファメモリ２０７の空き容量を監視し、空き容量があらかじめ設定された第１の設定値以下になった場合に、輻輳が発生したことをフレーム処理部２０６に通知し、空き容量があらかじめ設定された第２の設定値以上になった場合、あるいは輻輳通知を行ってからあらかじめ設定された設定時間が経過した後に、輻輳が解除されたことをフレーム処理部２０６に通知する局側メモリ監視部２を有する。またフレーム処理部２０６は、輻輳の発生を局側メモリ監視部２から通知されると、加入者側通信装置に送信されるＬＡＮデータに加えて、輻輳通知を加入者側通信装置に送信し、輻輳の解除を局側メモリ監視部２から通知されると、加入者側通信装置に送信されるＬＡＮデータに加えて、輻輳解除通知を加入者側通信装置に送信する機能を有する。
【００２５】
以上に述べた通信方法および通信装置を用いることにより、局側通信装置のメモリのオーバフローにより、パケットが失われることなく通信を行うことが可能となる。
【００２６】
［実施形態例２］
実施形態例１では、輻輳解除通知を行う本発明の実施形態例を示したが、ここでは輻輳通知を受信した後、あらかじめ設定された一定時間が経過すると輻輳状態が解除されるという本発明の実施形態例について説明を行う。
【００２７】
図５に本発明の通信方法における上りフレームのフローおよび輻輳通知フローを示す。加入者側通信装置は図５に示すように、輻輳通知を受信してから一定時間は送信要求を送信しない。また、局側通信装置は、輻輳通知を送信してから一定時間はバッファメモリの空き容量の監視を行わず、一定時間経過した後に再びバッファメモリの空き容量が規定値以下であった場合には、再度輻輳通知を行う。このような通信方法を用いることにより、輻輳解除通知を行うことなく、輻輳の制御を行うことができる。
【００２８】
また、この通信方法を実現する加入者側通信装置および、局側通信装置は、図３、図４に示した装置と同様の機能ブロックで構成される。この場合には、輻輳状態監視部１および局側メモリ監視部２がそれぞれタイマを持ち、このタイマにより輻輳通知を受信してからの時間あるいは輻輳通知を送信してからの時間を計測、規定時間が経過したかどうか判断する。
【００２９】
［実施形態例３］
前記実施形態例１、２では、輻輳通知は全ての加入者側通信装置に対してなされる本発明の実施形態例について説明を行った。本実施形態例３においては、ルータインタフェースのルータ側出力ポートが複数ある場合において、ある一つのルータ側出力ポートについて局側通信装置からルータへの出力において輻輳状態が発生した場合には、他のポートについては関係がないことから、該当出力側ポートに対応する加入者側通信装置に対してのみ、輻輳通知を行い、他の加入者側通信装置に対しては、輻輳通知を行わない本発明の実施形態例について説明を行う。
【００３０】
図６及び図７に本発明の通信方法における上りフレームのフローおよび局側通信装置の輻輳通知フローを示す。加入者側通信装置の通信フローについては前記実施例１と同じである。
【００３１】
局側通信装置の通信方法における上りフレームのフローについて説明を行う。加入者側通信装置から送信された送信要求を局側通信装置が受信すると、その送信要求に基づいて送信許可を与える加入者側通信装置を選択し、選択した加入者側通信装置に対して送信許可を送信する。送信許可に基づいて加入者側通信装置はフレームを送信し、局側通信装置はこのフレームを受信する。局側通信装置は、データを出力するルータ側出力ポートを設定に基づいて選択し、局側通信装置によって受信されたフレームは、いったん局側通信装置のバッファメモリに記憶された後、パケット処理を行い出力される。このバッファメモリはルータ側出力ポートに対応している。バッファメモリに記憶された際に、バッファメモリの空き容量があらかじめ設定された第１の規定値よりも小さくなった場合には、これ以上のフレームを受信することができないとして、局側通信装置は前記バッファメモリに対応するルータ側出力ポートに対応する加入者側通信装置に対して輻輳通知を送信する。他の加入者側通信装置については輻輳通知は行わない。すなわち、輻輳通知にルータ側出力ポート番号を含めて加入者側通信装置に通知することにより、輻輳通知を受信した加入者側通信装置は、輻輳通知内に記述されたルータ側出力ポート番号が自装置に対応しているかどうか判断し、前記ルータ側出力ポート番号が自装置に対応している場合には輻輳通知を通知されたものとし、前記ルータ側出力ポート番号が自装置に対応していない場合には輻輳通知を無視する。輻輳通知を受けた加入者側通信装置は、前記のフローに従ってさらなるフレームの送信を行わない。また、他のルータ側出力ポートに対応する加入者側通信装置については輻輳通知を受信していないので、そのままフレームの送信を行うことができる。このため、局側通信装置においてパケット処理を行いデータを出力することにより、該当バッファメモリに記憶されたデータのデータ量は減少する。パケットを出力することにより該当バッファメモリの空き容量が増え、あらかじめ設定された第２の規定値よりも大きくなった場合に、さらにフレームを受信することが可能になったとして、局側通信装置は該当する加入者側通信装置に対して輻輳解除通知を送信する。あるいは輻輳通知を通知してからあらかじめ設定された一定時間経過後にさらにフレームを受信することが可能になったとして、局側通信装置は該当する加入者側通信装置に対して輻輳解除通知を送信する。輻輳解除通知を受信した加入者側通信装置は、前記のフローに従ってフレームの送信を行う。
【００３２】
以上の実施形態例においては、バッファメモリの空き容量をチェックするタイミングは、局側通信装置のフレームを受信するタイミングに同期しているが、このタイミングは必ずしもフレームを受信するタイミングと一致している必要はない。バッファメモリの空き容量をチェックするタイミングはフレーム受信の間隔よりも狭くとり、フレームの受信とは無関係に輻輳通知、輻輳解除通知を行ってもよい。
【００３３】
本実施形態例で説明した通信方法を実現する加入者側通信装置および局側通信装置は実施形態例１で図３および図４を用いて説明を行った加入者側通信装置および局側通信装置と同じ構成を有する。ただし、局側通信装置において、局側メモリ監視部２は局側上りバッファメモリ２０７の空き容量が設定値以下になった場合に、輻輳が発生したことを前記局側上りバッファメモリ２０７に対応するルータ側出力ポート番号を含めてフレーム処理部２０６に通知し、空き容量があらかじめ設定された値以上になった場合に、輻輳が解除されたことを前記局側上りバッファメモリ２０７に対応するルータ側出力ポート番号を含めてフレーム処理部２０６に通知する局側メモリ監視部２を有する。またフレーム処理部２０６は、輻輳の発生を局側メモリ監視部２から通知されると、加入者側通信装置に送信されるＬＡＮデータに加えて、輻輳通知を前記局側上りバッファメモリ２０７に対応するルータ側出力ポート番号を含めて加入者側通信装置に送信し、輻輳の解除を局側メモリ監視部２から通知されると、加入者側通信装置に送信されるＬＡＮデータに加えて、輻輳解除通知を前記局側上りバッファメモリ２０７に対応するルータ側出力ポート番号を含めて加入者側通信装置に送信する機能を有する。また、加入者側通信装置において、輻輳状態監視部１は局側通信装置から送信された輻輳通知および輻輳解除通知の中に記載されたルータ側出力ポート番号を読みとり、これが自加入者側通信装置に対応したルータ側出力ポート番号であった場合には、輻輳通知および輻輳解除通知を通知されたものとし、これが自加入者側通信装置に対応したルータ側出力ポート番号でない場合には、輻輳通知および輻輳解除通知を通知されなかったものとする機能を有する。
【００３４】
また、実施形態例２で説明した通信方法に、本実施形態例３で説明した通信方法を組み合わせて用いることも可能である。すなわち、局側通信装置は個別に加入者側通信装置に輻輳通知を行い、輻輳通知を受信した加入者側通信装置はあらかじめ設定された一定時間の間、送信要求を行わない通信方法である。図８にその本発明の通信方法における上りフレームのフローおよび局側通信装置の輻輳通知フローを示す。加入者側通信装置に関しては実施例２と同じである。局側通信装置では、現在からあらかじめ設定された規定時間以前までの期間に対応する加入者側通信装置に輻輳通知が出されていない場合には、バッファメモリの空き容量のチェックを行い、空き容量があらかじめ設定された第１の規定値以上ない場合には、ルータ側出力ポートに対応する加入者側通信装置に対して輻輳通知を行う。
【００３５】
また、この通信方法を実現する加入者側通信装置および、局側通信装置は、本実施形態例において前述の装置と同様の機能ブロック構成される。この場合には、輻輳状態監視部１および局側メモリ監視部２がそれぞれタイマを持ち、このタイマにより輻輳通知を受信してからの時間あるいは輻輳通知を送信してからの時間を計測、規定時間が経過したかどうか判断する。
【００３６】
［実施形態例４］
実施形態例１、２、３では、局側通信装置のメモリの空き容量がある値以下になった場合に、加入者側通信装置に輻輳通知を行う、本発明の実施形態例について説明した。本実施形態例４では、局側通信装置のメモリの空き容量がある値以下になった場合、局側通信装置が送信許可を加入者側通信装置に与えないという、本発明の実施形態例の通信方法について説明を行う。
【００３７】
図９に本発明の通信方法における上りフレームのフローを示す。加入者側通信装置および加入者側通信装置の通信方法のフローは従来の技術と変わらない。すなわち、局側通信装置に送信するフレームがある場合には、局側通信装置に向けて送信要求を送信し、局側通信装置から送信された送信許可を受信した場合に、フレームを局側通信装置に送信する。
【００３８】
次に、局側通信装置の通信方法における上りフレームのフローについて説明を行う。加入者側通信装置から送信された送信要求を局側通信装置が受信すると、その送信要求に基づいて送信許可を与える加入者側通信装置を選択する。現在、送信許可を送信することを停止している場合には、送信要求には対して送信許可は与えず、バッファメモリに一時記憶されているデータのパケット処理を行い出力する。送信許可を送信することを停止していない場合には、選択した加入者側通信装置に対して送信許可を送信する。送信許可に基づいて加入者側通信装置はフレームを送信し、局側通信装置はこのフレームを受信する。局側通信装置は、データを出力するルータ側出力ポートを設定に基づいて選択し、受信されたフレームをいったん局側通信装置のバッファメモリに記憶した後に、パケット処理を行って出力する。送信許可の送信の停止・開始は、現在停止していない場合には、前記バッファメモリの空き容量のチェックにおいて、バッファメモリの空き容量が第１の規定値以下であった場合には、いずれの加入者側通信装置に対しても送信許可を送信することを停止する状態に移行する。バッファメモリの空き容量が第１の規定以上であった場合には、送信許可を停止していない状態のままである。また現在、送信許可の送信を停止している場合には、前記のバッファメモリの空き容量のチェックにおいて、バッファメモリの空き容量が第２の規定値以下であった場合には、いずれの加入者側通信装置に対しても送信許可を送信することを停止する状態のままでいる。バッファメモリの空き容量が第２の規定値以上であった場合には、送信許可を行う状態に移行する。あるいは、送信許可を停止してからあらかじめ設定された一定時間経過後に、さらにフレームを受信することが可能になったとして、局側通信装置はすべての加入者側通信装置に対して送信許可の送信を開始する。
【００３９】
本実施形態例で説明した通信方法は、局側通信装置がデータを受信可能な状態になるまで加入者側通信装置から送信された送信要求を無視することによっている。このため、局側通信装置におけるバッファメモリの空き容量をチェックするタイミングが図１０に示すように、加入者側通信装置の選択の前であっても同様の効果を有する。
【００４０】
次に、この通信方法を実現する、局側通信装置について説明を行う。加入者側通信装置については、従来の技術の加入者側通信装置を用いる。本実施形態例の局側通信装置を図１１に示す。
【００４１】
局側通信装置２０１は、光ファイバの光終端と信号の終端を行う局側終端装置２０２および、中継通話路との回線接続を行う電話５０と接続するための局側回線インタフェース２０３および、ルータとＬＡＮ接続をおこなうためのルータインタフェース２０４および、クロスコネクト２０５を有する。ルータインタフェース２０４は加入者側通信装置との間で送受信を行うＬＡＮデータのフレームを処理するフレーム処理部２０６および、加入者側通信装置から受信した上り方向のＬＡＮデータを一時記憶する局側上りバッファメモリ２０７および、加入者側通信装置へ送信する下り方向のＬＡＮデータを一時記憶する局側下りバッファメモリ２０８および、上りＬＡＮデータを宛先に応じて局側上りバッファメモリ２０７あるいは局側下りバッファメモリ２０８に転送する上りデータ振り分け部２０９および、下りデータを宛先に応じて局側下りバッファメモリ２０８に転送する下りデータ振り分け部２１０および、ＬＡＮデータを局側通信装置２０１に接続されたルータとの通信に使用されるプロトコルに変換するパケット処理部２１１を有する。さらに、ルータインタフェース２０４は、上りバッファメモリ２０７の空き容量を監視し、空き容量があらかじめ設定された値以下になった場合に、輻輳が発生したことを局側終端装置２０２に通知し、空き容量があらかじめ設定された値以上になった場合に、輻輳が解除されたことを局側終端装置２０２に通知する局側メモリ監視部２を有する。また局側終端装置２０２は、輻輳の発生を局側メモリ監視部２から通知されると、加入者側通信装置に対して送信許可を送信せず、輻輳の解除を局側メモリ監視部２から通知されると、加入者側通信装置に送信許可を送信する機能を有する。
【００４２】
［実施形態例５］
実施形態例４では、局側通信装置の加入者側通信装置からのデータを記憶するバッファメモリの空き容量がある値以下になった場合に、全ての加入者側通信装置からの送信要求を無視する通信方法について説明を行った。本実施形態例５では、局側通信装置が複数のルータ側のポートを有する場合について、該当する加入者側通信装置に対してだけ送信要求を無視するという本発明の実施形態例の通信方法について説明を行う。
【００４３】
図１２に本発明の通信方法における上りフレームのフローを示す。加入者側通信装置については従来の技術と同じである。
【００４４】
次に、局側通信装置の通信方法における上りフレームのフローについて説明を行う。加入者側通信装置から送信された送信要求を局側通信装置が受信すると、その送信要求に基づいて送信許可を与える加入者側通信装置を選択する。さらに、現在その加入者側通信装置に対して、送信許可の送信を停止する状態でない場合には、選択した加入者側通信装置に対して送信許可を送信する。送信許可に基づいて加入者側通信装置はフレームを送信し、局側通信装置はこのフレームを受信する。局側通信装置は、データを出力するルータ側出力ポートを設定に基づいて選択し、受信されたフレームをいったん局側通信装置のバッファメモリに記憶した後に、パケット処理を行って出力する。逆に、現在その加入者側通信装置に対して、送信許可の送信を停止する状態であった場合には、その加入者側通信装置に対応するバッファメモリに記憶されたデータのパケット処理を行い出力する。場合によっては、一度に複数の加入者側通信装置に対して送信許可が与えられる可能性があるため、この時には、各加入者側通信装置に対して、上記のフローを行う。送信許可の停止・開始は、以下のフローで行う。前記のバッファメモリの空き容量のチェックにおいて、該当するバッファメモリの空き容量が第１の規定値以下であった場合には、該当するバッファメモリに対応するルータ側出力ポートに対応する加入者側通信装置に対しては送信許可の送信を停止する。他の加入者側通信装置から送信された送信要求については、前記フローに従って送信許可を送信する。局側通信装置の前記バッファメモリに記憶されたデータは、パケット処理を行って出力される。パケットを出力することによりバッファメモリの空き容量が増え、あらかじめ設定された第２の規定値よりも大きくなった場合には、さらにフレームを受信することが可能になったとして、局側通信装置は加入者側通信装置の送信要求に対して、送信許可の送信を開始する。あるいは、送信許可を停止してからあらかじめ設定した一定時間が経過した後に、さらにフレームを受信することが可能になったとして、局側通信装置は加入者側通信装置の送信要求に対して、送信許可の送信を開始する。
【００４５】
本実施形態例に説明した通信方法は、局側通信装置がデータを受信可能な状態になるまで該当する加入者側通信装置から送信された送信要求を無視することによっている。このため、局側通信装置におけるバッファメモリの空き容量をチェックするタイミングが加入者側通信装置の選択の前であっても同様の効果を有する。
【００４６】
次に、この通信方法を実現する、局側通信装置について説明を行う。加入者側通信装置については、従来の技術の加入者側通信装置を用いる。本実施形態例の局側通信装置は実施形態例４において図１１を用いて説明した局側通信装置と同じ構成を有する。ただし、局側通信装置２０１において、局側メモリ監視部２は局側上りバッファメモリ２０７の空き容量が設定値以下になった場合に、輻輳が発生したことを前記局側上りバッファメモリ２０７に対応するルータ側出力ポート番号を含めて局側終端装置２０２に通知し、空き容量があらかじめ設定された値以上になった場合、輻輳が解除されたことを前記局側上りバッファメモリ２０７に対応するルータ側出力ポート番号を含めて局側終端装置２０２に通知する局側メモリ監視部２を有する。また局側終端装置２０２は、輻輳の発生を局側メモリ監視部２から通知されると、その通知内に記述された前記局側上りバッファメモリ２０７に対応するルータ側出力ポート番号を読みとり、このルータ側出力ポート番号に対応する加入者側通信装置を特定し、前記加入者側通信装置から送信された送信許可要求を無視し、前記以外の加入者側通信装置から送信された送信許可要求には対応する機能を有する。また、局側終端装置２０２は、輻輳の解除を局側メモリ監視部２から通知されると、その通知内に記述された前記局側上りバッファメモリ２０７に対応するルータ側出力ポート番号を読みとり、このルータ側出力ポート番号に対応する加入者側通信装置を特定し、前記加入者側通信装置から送信された送信許可要求に対応し、前記以外の加入者側通信装置については、前記輻輳解除通知を受け取る前の対応状態を維持するという機能を有する。
【００４７】
なお、この実施形態例においても、実施形態例２で説明した通信方法に、本実施形態例で説明した通信方法を組み合わせて用いることも可能である。すなわち、輻輳通知を受信した加入者側通信装置はあらかじめ設定された一定時間の間、送信要求を行わない通信方法である。
【００４８】
［実施形態例６］
前記実施形態例１から５では、上りデータについて輻輳が発生した場合の通信方法および通信装置について説明を行った。本実施形態例６では、下りデータについて輻輳が発生した場合の本発明の実施形態例について説明を行う。
【００４９】
図１３に本発明の通信方法における下りフレームのフローおよび輻輳通知フローを示す。まず、局側通信装置のフローについて説明する。局側通信装置は、送信するフレームがある場合には、宛先となる加入者側通信装置からすでに輻輳通知が送られているかどうかチェックする。輻輳通知がされていない場合には、ＬＡＮデータをバッファメモリに一時記憶した後に、フレーム処理を行って、加入者側通信装置に送信する。また、すでに輻輳通知をされている場合には、宛先となる加入者側通信装置に対応して設けられた待避バッファメモリに、該当する加入者側通信装置から輻輳解除通知を受信するまでＬＡＮデータを記憶する。このとき、輻輳通知がされていない加入者側通信装置に送信するＬＡＮデータについては前記フローに基づいて加入者側通信装置に送信する。該当する加入者側通信装置から、輻輳解除通知を局側通信装置が受信すると、加入者側通信装置の受信が可能となったとして、待避バッファメモリ内に記憶されたＬＡＮデータをフレーム処理を行い加入者側通信装置に送信する。このとき、図１４に示すように、いったん待避バッファメモリに記憶されたＬＡＮデータをバッファメモリに転送するフローであってもよい。
【００５０】
次に、加入者側通信装置の通信方法における下りフレームについて説明する。局側通信装置はフレームを送信し、加入者側通信装置はこのフレームを受信する。加入者側通信装置によって受信されたフレームは、いったん加入者側通信装置のバッファメモリに記憶された後に、パケット処理を行って出力される。バッファメモリに記憶された際に、バッファメモリの空き容量があらかじめ設定された第１の規定値よりも小さくなった場合には、これ以上のフレームを受信することができないとして、加入者側通信装置は局側通信装置に対して輻輳通知を送信する。輻輳通知を受けた局側通信装置は、前記のフローに従って該当加入者側通信装置に対してさらなるフレームの送信を行わない。このため、加入者側通信装置においてパケット処理を行いデータを出力することにより、バッファメモリに記憶されたデータのデータ量は減少する。パケットを出力することによりバッファメモリの空き容量が増え、あらかじめ設定された第２の規定値よりも大きくなった場合には、さらにフレームを受信することが可能になったとして、加入者側通信装置は局側通信装置に対して輻輳解除通知を送信する。あるいは、輻輳通知を送信した後にあらかじめ設定された一定時間経過後に、さらにフレームを受信することが可能になったとして、加入者側通信装置は局側通信装置に対して輻輳解除通知を送信する方法であってもよい。輻輳解除通知を受信した局側通信装置は、前記のフローに従ってフレームの送信を行う。
【００５１】
上記フローにおいて、バッファメモリの空き容量をチェックするタイミングは、加入者側通信装置のフレームを受信するタイミングに同期しているが、このタイミングは必ずしもフレームを受信するタイミングと一致している必要はない。バッファメモリの空き容量をチェックするタイミングはフレーム受信の間隔よりも狭くとり、フレームの受信とは無関係に輻輳通知、輻輳解除通知を行ってもよい。
【００５２】
つぎに、この通信方法を実現する、加入者側通信装置および局側通信装置について説明を行う。図１５に本発明の加入者側通信装置を、図１６に本発明の局側通信装置を示す。
【００５３】
加入者側通信装置１０１は、光ファイバの光終端と信号の終端を行う加入者側終端装置１０２および、中継通話路との回線接続を行う電話５０と接続するための回線インタフェース１０３および、コンピュータ５１とＬＡＮ接続をおこなうためのＬＡＮインタフェース１０４を有する。ＬＡＮインタフェース１０４は局側通信装置との間で送受信を行うＬＡＮデータのフレームを処理するフレーム処理部１０５および、局側通信装置へ送信する上り方向のＬＡＮデータを一時記憶する上りバッファメモリ１０６および、局側通信装置から受信した下り方向のＬＡＮデータを一時記憶する下りバッファメモリ１０７および、ＬＡＮデータを加入者側通信装置１０１に接続されたコンピュータ５１との通信に使用されるプロトコルに変換するパケット処理部１０８を有する。さらに、ＬＡＮインタフェース１０４は、下りバッファメモリ１０７の空き容量を監視し、空き容量があらかじめ設定された値以下になった場合に、輻輳が発生したことをフレーム処理部１０５に通知し、空き容量があらかじめ設定された値以上になった場合に、輻輳が解除されたことをフレーム処理部１０５に通知する加入者側メモリ監視部３を有する。またフレーム処理部１０５は、輻輳の発生を加入者側メモリ監視部３から通知されると、局側通信装置に送信されるＬＡＮデータに加えて、輻輳通知を局側通信装置に送信し、輻輳の解除を加入者側メモリ監視部３から通知されると、局側通信装置に送信されるＬＡＮデータに加えて、輻輳解除通知を局側通信装置に送信する機能を有する。
【００５４】
また、局側通信装置２０１は、光ファイバの光終端と信号の終端を行う局側終端装置２０２および、中継通話路との回線接続を行う電話５０と接続するための局側回線インタフェース２０３および、ルータとＬＡＮ接続をおこなうためのルータインタフェース２０４および、クロスコネクト２０５を有する。ルータインタフェース２０４は加入者側通信装置との間で送受信を行うＬＡＮデータのフレームを処理するフレーム処理部２０６および、加入者側通信装置から受信した上り方向のＬＡＮデータを一時記憶する局側上りバッファメモリ２０７および、加入者側通信装置へ送信する下り方向のＬＡＮデータを一時記憶する局側下りバッファメモリ２０８および、上りＬＡＮデータを宛先に応じて局側上りバッファメモリ２０７あるいは局側下りバッファメモリ２０８に転送する上りデータ振り分け部２０９および、下りデータを宛先に応じて局側下りバッファメモリ２０８に転送する下りデータ振り分け部２１０および、ＬＡＮデータを局側通信装置２０１に接続されたルータとの通信に使用されるプロトコルに変換するパケット処理部２１１を有する。さらに、ルータインタフェース２０４は、待避バッファメモリ５を有する。待避バッファメモリ５は各加入者側通信装置ごとにデータを記憶できる構成となっている。また、ルータインタフェース２０４は、加入者側通信装置から受信した輻輳通知および輻輳解除通知を受け、加入者側通信装置の輻輳状態を監視する、局側輻輳監視部４を有する。局側輻輳監視部４は、輻輳通知を受信してから輻輳解除通知を受信するまでの間、該当する加入者側通信装置に送信するＬＡＮデータを待避バッファメモリ５の該当する加入者側通信装置に対応する部分に記憶するように、下りデータ振り分け部２１０および上りデータ振り分け部２０９に通知し、さらに加入者側通信装置から輻輳解除通知を受信した場合には、待避バッファメモリ５の該当する加入者側通信装置に対応する部分に記憶されているデータを取り出しすように、フレーム処理部２０６に通知する機能を有する。
【００５５】
図１７に本発明の局側通信装置の別の例をさらに示す。この局側通信装置についても、本実施形態例の通信方法を実現するものである。
【００５６】
この局側通信装置２０１は、光ファイバの光終端と信号の終端を行う局側終端装置２０２および、中継通話路との回線接続を行う電話５０と接続するための局側回線インタフェース２０３および、ルータとＬＡＮ接続をおこなうためのルータインタフェース２０４および、クロスコネクト２０５を有する。ルータインタフェース２０４は加入者側通信装置との間で送受信を行うＬＡＮデータのフレームを処理するフレーム処理部２０６および、加入者側通信装置から受信した上り方向のＬＡＮデータを一時記憶する局側上りバッファメモリ２０７および、加入者側通信装置へ送信する下り方向のＬＡＮデータを一時記憶するバッファメモリとして加入者側通信装置対応バッファメモリ７および、上りＬＡＮデータを宛先に応じて局側上りバッファメモリ２０７あるいは加入者側通信装置対応バッファメモリ７に転送する上りデータ振り分け部２０９および、下りデータを宛先に応じて加入者側通信装置へ送信する下り方向のＬＡＮデータを一時記憶するバッファメモリとして加入者側通信装置対応バッファメモリ７に転送する下りデータ振り分け部２１０および、ＬＡＮデータを局側通信装置２０１に接続されたルータとの通信に使用されるプロトコルに変換するパケット処理部２１１を有する。また、ルータインタフェース２０４は、加入者側通信装置から受信した輻輳通知および輻輳解除通知を受け、加入者側通信装置の輻輳状態を監視する、局側輻輳監視部４を有する。加入者側通信装置対応バッファメモリ７は加入者側通信装置ごとにデータを記憶する構成になっており、上りデータ振り分け部２０９および下りデータ振り分け部２１０はＬＡＮデータの宛先が加入者側通信装置であった場合には、加入者側通信装置対応バッファメモリ７にデータを転送し、加入者側通信装置対応バッファメモリ７は、加入者側通信装置に対応してＬＡＮデータを記憶する。さらに、フレーム処理部２０６は、加入者側通信装置対応バッファメモリ７に記憶されたＬＡＮデータの内、輻輳通知を行っており輻輳解除通知を行っていない加入者側通信装置以外の加入者側通信装置を局側輻輳監視部４から通知され、前記加入者側通信装置に対応するＬＡＮデータを加入者側通信装置対応バッファメモリ７から取り出し、フレーム処理を行って出力する機能を有する。
【００５７】
［実施形態例７］
実施形態例６では、輻輳解除通知を行う本発明の実施形態例を示したが、ここでは輻輳通知を受信した後、あらかじめ設定された一定時間が経過すると輻輳状態が解除されるという本発明の実施形態例について説明を行う。
【００５８】
図１８に本発明の通信方法における下りフレームのフローおよび輻輳通知フローを示す。局側通信装置は図１８に示すように、輻輳通知を受信してから一定時間（規定時間）は該当加入者側通信装置に対して送信しない。また、加入者側通信装置は、輻輳通知を送信してから一定時間はバッファメモリの空き容量の監視を行わず、一定時間（規定時間）経過した後に再びバッファメモリの空き容量が第１の規定値以下であった場合には、再度輻輳通知を行う。このような通信方法を用いることにより、輻輳解除通知を行うことなく、輻輳の制御を行うことができる。
【００５９】
［実施形態例８］
ここまでは、上り方向もしくは下り方向の一方向のＬＡＮデータに関する輻輳を対象とした、本発明の実施形態例について説明を行った。本実施形態例８では、上り方向および下り方向両方向のＬＡＮデータの輻輳を対象とした本発明の実施形態例である通信方法および通信装置について説明を行う。
【００６０】
通信方法に関しては、これまで実施形態例１から６で説明したように、上り下り方向が独立であるために、上り方向については実施形態例１から５で説明したいずれかの通信方法、下り方向については実施形態例６と７で説明したいずれかの通信方法を用いることで、両方向の輻輳を対象とした通信方法となる。
【００６１】
この通信方法を実現する通信装置について説明を行う。まず、実施形態例３あるいは実施形態例４で説明した通信方法を上り方向のＬＡＮデータに対して用いた場合には、加入者側通信装置には上り方向の通信に関して特殊な機能は要求されないので、加入者側通信装置として実施形態例５で説明を行った加入者側通信装置を用い、局側通信装置として、実施形態例３あるいは実施形態例４で説明を行った局側通信装置を用いればよい。
【００６２】
次に、上り方向のＬＡＮデータに対して実施形態例１あるいは実施形態例２で説明を行った通信方法を用いる場合について、加入者側通信装置を図１９に、局側通信装置を図２０に示す。
【００６３】
まず、加入者側通信装置について説明を行う。加入者側通信装置１０１は、光ファイバの光終端と信号の終端を行う加入者側通信装置１０２および、中継通話路との回線接続を行う電話５０と接続するための回線インタフェース１０３および、コンピュータ５１とＬＡＮ接続をおこなうためのＬＡＮインタフェース１０４を有する。ＬＡＮインタフェース１０４は局側通信装置との間で送受信を行うＬＡＮデータのフレームを処理するフレーム処理部１０５および、局側通信装置へ送信する上り方向のＬＡＮデータを一時記憶する上りバッファメモリ１０６および、局側通信装置から受信した下り方向のＬＡＮデータを一時記憶する下りバッファメモリ１０７および、ＬＡＮデータを加入者側通信装置１０１に接続されたコンピュータ５１との通信に使用されるプロトコルに変換するパケット処理部１０８を有する。さらに、ＬＡＮインタフェース１０４は、局側通信装置から受信した輻輳通知および輻輳解除通知を受け、輻輳通知を受信してから輻輳解除通知を受信するまでの間、上りバッファメモリ１０６からフレーム処理部１０５がＬＡＮデータを取り出さないように制御する、輻輳状態監視部１を有する。さらに、ＬＡＮインタフェース１０４は、下りバッファメモリ１０７の空き容量を監視し、空き容量があらかじめ設定された値以下になった場合に、輻輳が発生したことをフレーム処理部１０５に通知し、空き容量があらかじめ設定された値以上になった場合に、輻輳が解除されたことをフレーム処理部１０５に通知する、加入者側メモリ監視部３を有する。またフレーム処理部１０５は、輻輳の発生を加入者側メモリ監視部３から通知されると、局側通信装置に送信されるＬＡＮデータに加えて、輻輳通知を局側通信装置に送信し、輻輳の解除を加入者側メモリ監視部３から通知されると、局側通信装置に送信されるＬＡＮデータに加えて、輻輳解除通知を局側通信装置に送信する機能を有する。
【００６４】
次に、局側通信装置について説明を行う。局側通信装置２０１は、光ファイバの光終端と信号の終端を行う局側終端装置２０２および、中継通話路との回線接続を行う電話５０と接続するための局側回線インタフェース２０３および、ルータとＬＡＮ接続をおこなうためのルータインタフェース２０４および、クロスコネクト２０５を有する。ルータインタフェース２０４は加入者側通信装置との間で送受信を行うＬＡＮデータのフレームを処理するフレーム処理部２０６および、加入者側通信装置から受信した上り方向のＬＡＮデータを一時記憶する局側上りバッファメモリ２０７および、加入者側通信装置へ送信する下り方向のＬＡＮデータを一時記憶する局側下りバッファメモリ２０８および、上りＬＡＮデータを宛先に応じて局側上りバッファメモリ２０７あるいは局側下りバッファメモリ２０８に転送する上りデータ振り分け部２０９および、下りデータを宛先に応じて局側下りバッファメモリ２０８に転送する下りデータ振り分け部２１０および、ＬＡＮデータを局側通信装置２０１に接続されたルータとの通信に使用されるプロトコルに変換するパケット処理部２１１を有する。さらに、ルータインタフェース２０４は、待避バッファメモリ５を有する。待避バッファメモリ５は各加入者側通信装置ごとにデータを記憶できる構成となっている。また、ルータインタフェース２０４は、加入者側通信装置から受信した輻輳通知および輻輳解除通知を受け、加入者側通信装置の輻輳状態を監視する、局側輻輳監視部４を有する。局側輻輳監視部４は、輻輳通知を受信してから輻輳解除通知を受信するまでの間、該当する加入者側通信装置に送信するＬＡＮデータを待避バッファメモリ５の該当する加入者側通信装置に対応する部分に記憶するように、下りデータ振り分け部２１０および上りデータ振り分け部２０９に通知し、さらに加入者側通信装置から輻輳解除通知を受信した場合には、待避バッファメモリ５の該当する加入者側通信装置に対応する部分に記憶されているデータを取り出しすように、フレーム処理部２０６に通知する機能を有する。さらに、ルータインタフェース２０４は、上りバッファメモリ２０７の空き容量を監視し、空き容量があらかじめ設定された値以下になった場合に、輻輳が発生したことをフレーム処理部２０６に通知し、空き容量があらかじめ設定された値以上になった場合に、輻輳が解除されたことをフレーム処理部２０６に通知する局側メモリ監視部２を有する。またフレーム処理部２０６は、輻輳の発生を局側メモリ監視部２から通知されると、加入者側通信装置に送信されるＬＡＮデータに加えて、輻輳通知を加入者側通信装置に送信し、輻輳の解除を局側メモリ監視部２から通知されると、加入者側通信装置に送信されるＬＡＮデータに加えて、輻輳解除通知を加入者側通信装置に送信する機能を有する。
【００６５】
ここで、局側メモリ監視部２およびフレーム処理部２０６は以下の機能を有してもよい。すなわち、局側メモリ監視部２は局側上りバッファメモリ２０７の空き容量が設定値以下になった場合に、輻輳が発生したことを前記局側上りバッファメモリ２０７に対応するルータ側出力ポート番号を含めてフレーム処理部２０６に通知し、空き容量があらかじめ設定された値以上になった場合に、輻輳が解除されたことを前記局側上りバッファメモリ２０７に対応するルータ側出力ポート番号を含めてフレーム処理部２０６に通知する局側メモリ監視部２を有する。またフレーム処理部２０６は、輻輳の発生を局側メモリ監視部２から通知されると、加入者側通信装置に送信されるＬＡＮデータに加えて、輻輳通知を前記局側上りバッファメモリ２０７に対応するルータ側出力ポート番号を含めて加入者側通信装置に送信し、輻輳の解除を局側メモリ監視部２から通知されると、加入者側通信装置に送信されるＬＡＮデータに加えて、輻輳解除通知を前記局側上りバッファメモリ２０７に対応するルータ側出力ポート番号を含めて加入者側通信装置に送信する機能を有する。またこの場合には、加入者側通信装置において、輻輳状態監視部１は局側通信装置から送信された輻輳通知および輻輳解除通知の中に記載されたルータ側出力ポート番号を読みとり、これが自加入者側通信装置に対応したルータ側出力ポート番号であった場合には、輻輳通知および輻輳解除通知を通知されたものとし、これが自加入者側通信装置に対応したルータ側出力ポート番号でない場合には、輻輳通知および輻輳解除通知を通知されなかったものとする機能を有する。
【００６６】
さらに、本発明の通信方法を実現する別の局側通信装置の例を図２１に示す。この局側通信装置２０１は、光ファイバの光終端と信号の終端を行う局側終端装置２０２および、中継通話路との回線接続を行う電話５０と接続するための局側回線インタフェース２０３および、ルータとＬＡＮ接続をおこなうためのルータインタフェース２０４および、クロスコネクト２０５を有する。ルータインタフェース２０４は加入者側通信装置との間で送受信を行うＬＡＮデータのフレームを処理するフレーム処理部２０６および、加入者側通信装置から受信した上り方向のＬＡＮデータを一時記憶する局側上りバッファメモリ２０７および、加入者側通信装置へ送信する下り方向のＬＡＮデータを一時記憶するバッファメモリとして加入者側通信装置対応バッファメモリ７および、上りＬＡＮデータを宛先に応じて局側上りバッファメモリ２０７あるいは加入者側通信装置対応バッファメモリ７に転送する上りデータ振り分け部２０９および、下りデータを宛先に応じて加入者側通信装置へ送信する下り方向のＬＡＮデータを一時記憶するバッファメモリとして加入者側通信装置対応バッファメモリ７に転送する下りデータ振り分け部２１０および、ＬＡＮデータを局側通信装置２０１に接続されたルータとの通信に使用されるプロトコルに変換するパケット処理部２１１を有する。また、ルータインタフェース２０４は、加入者側通信装置から受信した輻輳通知および輻輳解除通知を受け、加入者側通信装置の輻輳状態を監視する、局側輻輳監視部４を有する。加入者側通信装置対応バッファメモリ７は加入者側通信装置ごとにデータを記憶する構成になっており、上りデータ振り分け部２０９および下りデータ振り分け部２１０はＬＡＮデータの宛先が加入者側通信装置であった場合には、加入者側通信装置対応バッファメモリ７にデータを転送し、加入者側通信装置対応バッファメモリ７は、加入者側通信装置に対応してＬＡＮデータを記憶する。さらに、フレーム処理部２０６は、加入者側通信装置対応バッファメモリ７に記憶されたＬＡＮデータの内、輻輳通知を行っており輻輳解除通知を行っていない加入者側通信装置以外の加入者側通信装置を局側輻輳監視部４から通知され、前記加入者側通信装置に対応するＬＡＮデータを加入者側通信装置対応バッファメモリ７から取り出し、フレーム処理を行って出力する機能を有する。さらに、ルータインタフェース２０４は、上りバッファメモリ２０７の空き容量を監視し、空き容量があらかじめ設定された値以下になった場合に、輻輳が発生したことをフレーム処理部２０６に通知し、空き容量があらかじめ設定された値以上になった場合に、輻輳が解除されたことをフレーム処理部２０６に通知する局側メモリ監視部２を有する。またフレーム処理部２０６は、輻輳の発生を局側メモリ監視部２から通知されると、加入者側通信装置に送信されるＬＡＮデータに加えて、輻輳通知を加入者側通信装置に送信し、輻輳の解除を局側メモリ監視部２から通知されると、加入者側通信装置に送信されるＬＡＮデータに加えて、輻輳解除通知を加入者側通信装置に送信する機能を有する。
【００６７】
ここで、局側メモリ監視部２およびフレーム処理部２０６は以下の機能を有してもよい。すなわち、局側メモリ監視部２は局側上りバッファメモリ２０７の空き容量が設定値以下になった場合に、輻輳が発生したことを前記局側上りバッファメモリ２０７に対応するルータ側出力ポート番号を含めてフレーム処理部２０６に通知し、空き容量があらかじめ設定された値以上になった場合に、輻輳が解除されたことを前記局側上りバッファメモリ２０７に対応するルータ側出力ポート番号を含めてフレーム処理部２０６に通知する局側メモリ監視部２を有する。またフレーム処理部２０６は、輻輳の発生を局側メモリ監視部２から通知されると、加入者側通信装置に送信されるＬＡＮデータに加えて、輻輳通知を前記局側上りバッファメモリ２０７に対応するルータ側出力ポート番号を含めて加入者側通信装置に送信し、輻輳の解除を局側メモリ監視部２から通知されると、加入者側通信装置に送信されるＬＡＮデータに加えて、輻輳解除通知を前記局側上りバッファメモリ２０７に対応するルータ側出力ポート番号を含めて加入者側通信装置に送信する機能を有する。またこの場合には、加入者側通信装置において、輻輳状態監視部１は局側通信装置から送信された輻輳通知および輻輳解除通知の中に記載されたルータ側出力ポート番号を読みとり、これが自加入者側通信装置に対応したルータ側出力ポート番号であった場合には、輻輳通知および輻輳解除通知を通知されたものとし、これが自加入者側通信装置に対応したルータ側出力ポート番号でない場合には、輻輳通知および輻輳解除通知を通知されなかったものとする機能を有する。
【００６８】
［実施形態例９］
本実施形態例では、前記説明を行った実施形態例１から８における、バッファメモリの空き容量の設定値について説明する。
【００６９】
図２２に上下方向のデータの流れを示す。説明を簡単にするために、上り情報チャネルと下り情報チャネルのみを示し、伝送遅延の影響や信号チャネルは記述していない。仮に、上り信号チャネルを通ってきたバースト周期Ａの上りＬＡＮデータを受信した時に、バッファメモリの空き容量が設定値未満になったとする。次のバースト周期Ｂに対する加入者側通信装置の上り送信許可はバースト周期Ａの下り情報チャネルで送信されているために、バースト周期Ｂでは上りＬＡＮデータが加入者側通信装置から送信されることになる。局側で輻輳状態が発生したことを通知する輻輳通知は、最も早い場合においてもバースト周期Ｂの下りＬＡＮデータのタイミングで加入者側通信装置に通知される。この場合には、上りＬＡＮデータが送信されなくなるのが、バースト周期Ｃからである。また、局側通信装置において送信許可を送信しないという実施形態例３に示した通信方法においても、送信許可が出されなくなるのは最も早くてバースト周期Ｂからであり、上りＬＡＮデータが送信されなくなるのは、同じく、バースト周期Ｃからである。すなわち、いずれの場合にしても、輻輳状態になってからＬＡＮデータを受信することがあり得ることを示している。
【００７０】
このため、バッファメモリの空き容量の設定値は、次のＬＡＮデータを受信した場合にオーバーフローしない値に設定する。すなわち、少なくとも１つのバースト周期内での最長のＬＡＮデータ長以上の設定値にする必要がある。すなわち、データを受信してから、輻輳状態を検出し、対応が終了するまでに受信する最大のＬＡＮデータ量以上の設定にすればよい。このような構成にすることにより、仮に次のＬＡＮデータを受信した場合に、バッファメモリからＬＡＮデータが全く出力されていなかったとしても、バッファメモリがオーバーフローすることはない。
【００７１】
以上の説明から明らかなように、請求項３から６の発明の通信方法を用いることにより、局側通信装置内のメモリのオーバフローによりデータが消失することなく通信を行うことが可能となる。また、請求項１０の発明の局側通信装置および請求項１５の発明の加入者側通信装置、あるいは、請求項１１の発明の局側通信装置および請求項１４の発明の局側通信装置、あるいは請求項１２の発明の局側通信装置を用いることにより、前記請求項３から６の発明の通信方法を実現することができる。
【００７２】
さらに、請求項７あるいは８の発明の通信方法を用いることにより、加入者側通信装置内のメモリのオーバフローによりデータが消失することなく通信を行うことが可能となる。また、請求項１８の発明の局側通信装置および請求項１７の発明の加入者側通信装置あるいは、請求項１９の発明の局側通信装置および請求項１６の発明の加入者側通信装置を用いることにより、前記請求項７あるいは８の通信方法を実現することができる。
【００７３】
さらに、請求項２２の発明の局側通信装置および請求項２０の発明の加入者側通信装置、あるいは、請求項２１の加入者側通信装置および請求項２３の発明の局側通信装置を用いることにより、請求項３から６の発明のいずれか一つの通信方法と請求項７あるいは８の発明の通信方法を同時に実現することができる。
【００７４】
さらに、請求項９の発明の通信方法を用いることにより、加入者側通信装置内あるいは局側通信装置内のメモリのオーバフローによりデータが消失することなく通信を行うことが可能となる。
【００７５】
さらに、請求項２４の発明の通信方法を用いることにより、ＬＡＮ接続において輻輳が発生した場合においても電話回線には影響を及ぼさずに、ＬＡＮデータが消失することなく通信を行うことが可能となる。
【００７６】
【発明の効果】
以上述べたように本発明によれば、加入者側通信装置内あるいは局側通信装置内のメモリのオーバフローによりデータが消失することなく通話を行うことが可能となり、また電話回線に影響を及ぼさずに、ＬＡＮデータが消失することなく通信を行うことが可能となる輻輳処理を行う通信方法および通信装置を提供することができる。
【図面の簡単な説明】
【図１】本発明の実施形態例に係る通信方法を示すフローチャート図である。
【図２】本発明の実施形態例に係る通信方法を示すフローチャート図である。
【図３】本発明の実施形態例に係る加入者側通信装置を示す構成説明図である。
【図４】本発明の実施形態例に係る局側通信装置を示す構成説明図である。
【図５】本発明の実施形態例に係る通信方法を示すフローチャート図である。
【図６】本発明の実施形態例に係る通信方法を示すフローチャート図である。
【図７】本発明の実施形態例に係る通信方法を示すフローチャート図である。
【図８】本発明の実施形態例に係る通信方法を示すフローチャート図である。
【図９】本発明の実施形態例に係る通信方法を示すフローチャート図である。
【図１０】本発明の実施形態例に係る通信方法を示すフローチャート図である。
【図１１】本発明の実施形態例に係る局側通信装置を示す構成説明図である。
【図１２】本発明の実施形態例に係る通信方法を示すフローチャート図である。
【図１３】本発明の実施形態例に係る通信方法を示すフローチャート図である。
【図１４】本発明の実施形態例に係る通信方法を示すフローチャート図である。
【図１５】本発明の実施形態例に係る加入者側通信装置を示す構成説明図である。
【図１６】本発明の実施形態例に係る局側通信装置を示す構成説明図である。
【図１７】本発明の実施形態例に係る局側通信装置を示す構成説明図である。
【図１８】本発明の実施形態例に係る通信方法を示すフローチャート図である。
【図１９】本発明の実施形態例に係る加入者側通信装置を示す構成説明図である。
【図２０】本発明の実施形態例に係る局側通信装置を示す構成説明図である。
【図２１】本発明の実施形態例に係る局側通信装置を示す構成説明図である。
【図２２】本発明の実施形態例に係る上下方向のデータの流れを示す説明図である。
【図２３】従来の通信システムを示す構成説明図である。
【図２４】従来の加入者側通信装置を示す構成説明図である。
【図２５】従来の局側通信装置を示す構成説明図である。
【符号の説明】
１：輻輳状態監視部
２：局側メモリ監視部
３：加入者側メモリ監視部
４：局側輻輳監視部
５：待避バッファメモリ
７：加入者側通信装置対応バッファメモリ
５０：電話
５１：コンピュータ
５３：交換機
５４：ルータ
１０１：加入者側通信装置
１０２：加入者側終端装置
１０３：回線インタフェース
１０４：ＬＡＮインタフェース
１０５：フレーム処理部
１０６：上りバッファメモリ
１０７：下りバッファメモリ
１０８：パケット処理部
２０１：局側通信装置
２０２：局側終端装置
２０３：局側回線インタフェース
２０４：ルータインタフェース
２０５：クロスコネクト
２０６：フレーム処理部
２０７：局側上りバッファメモリ
２０８：局側下りバッファメモリ
２０９：上りデータ振り分け部
２１０：下りデータ振り分け部
２１１：パケット処理部
【図１】
0003634967.tif 000002
【図２】
0003634967.tif 000003
【図３】
0003634967.tif 000004
【図４】
0003634967.tif 000005
【図５】
0003634967.tif 000006
【図６】
0003634967.tif 000007
【図７】
0003634967.tif 000008
【図８】
0003634967.tif 000009
【図９】
0003634967.tif 000010
【図１０】
0003634967.tif 000011
【図１１】
0003634967.tif 000012
【図１２】
0003634967.tif 000013
【図１３】
0003634967.tif 000014
【図１４】
0003634967.tif 000015
【図１５】
0003634967.tif 000016
【図１６】
0003634967.tif 000017
【図１７】
0003634967.tif 000018
【図１８】
0003634967.tif 000019
【図１９】
0003634967.tif 000020
【図２０】
0003634967.tif 000021
【図２１】
0003634967.tif 000022
【図２２】
0003634967.tif 000023
【図２３】
0003634967.tif 000024
【図２４】
0003634967.tif 000025
【図２５】
0003634967.tif 000026